(57)【特許請求の範囲】
【請求項１】
(イ)固定弁体に対する可動弁体の摺動運動により吐止水と吐水の温度調節とを行う混合弁と、(ロ)連結アームを介して該可動弁体に連結されたハンドル基部及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において
前記ハンドルを止水状態にロックするロック機構及び該ロック機構をロック状態と解除状態とに切替操作するロック操作部を備えたロック装置が設けてあり、
前記ロック操作部は回転摘みと成してあって、回転軸心と直角方向に突出した突起を有しており、該突起が、前記ロック機構が前記ロック状態にあるか前記解除状態にあるかを示すための指示部を成していることを特徴とするシングルレバー水栓。
【請求項２】
請求項１において、前記ロック操作部が前記ハンドル基部の周壁に設けてあるとともに、該ハンドル基部の上面には、前記指示部と協働して前記ロック機構が前記ロック状態にあるか前記解除状態にあるかを表示する表示部が設けてあることを特徴とするシングルレバー水栓。
【請求項３】
(イ)固定弁体に対する可動弁体の摺動運動により吐止水と吐水の温度調節とを行う混合弁と、(ロ)連結アームを介して該可動弁体に連結されたハンドル基部及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において
前記ハンドルを止水状態にロックするロック機構及び該ロック機構をロック状態と解除状態とに切替操作するロック操作部を備えたロック装置が設けてあり、
前記ロック機構は、前記ハンドル基部の周壁に形成された嵌合孔に回転可能に嵌合した回転軸部と、該回転軸部から軸直角方向に突出したストッパ部とを有しており、該ストッパ部を水栓本体の当接部に当接させることによって前記ハンドル基部を止水状態にロックする一方、前記ロック操作部の操作により該ストッパ部を前記回転軸部と一体に前記当接部への当接位置から非当接位置である退避位置まで回転させてロック解除するものとなしてあることを特徴とするシングルレバー水栓。
【請求項４】
請求項３において、前記ストッパ部の先端のストッパ面が平坦な切落し形状のストッパ面となしてあることを特徴とするシングルレバー水栓。
【請求項５】
請求項３において、前記回転軸部には、前記ハンドル基部と前記連結アームとの接続部に向って配向した軸方向の貫通孔が中心部に設けてあり、該貫通孔が、それらハンドル基部と連結アームとの接続及び接続解除作業をなす際の工具の挿通空間となしてあることを特徴とするシングルレバー水栓。
【発明の詳細な説明】
【技術分野】
【０００１】
この発明はシングルレバー水栓に関し、特に水栓柱等の屋外に配置されるものに適用して好適なシングルレバー水栓に関する。
【背景技術】
【０００２】
従来、固定弁体に対する可動弁体の摺動運動により吐止水と吐水の温度調節とを行う混合弁と、連結アームを介して可動弁体に連結されたハンドル基部及びハンドル基部から突き出したレバー部を備えたハンドルとを有し、レバー部を回動操作することでハンドル基部及び連結アームを介して可動弁体を摺動運動させるようになしたシングルレバー水栓が広く用いられている。
【０００３】
一方、庭や車庫等の屋外に、ペットを洗ったり庭仕事の後に器材その他を洗ったりする等の目的で、上向きに起立して設けられた柱体に水栓を備えて成る水栓柱を設置することが行われている。
従来、このような水栓柱の水栓としてシングルレバー水栓を備えておくことが提案されている。例えば下記特許文献１に、水栓柱における水栓としてシングルレバー水栓を設けたものが開示されている。
【０００４】
ところで、この水栓柱に備えられたシングルレバー水栓は、屋内に設置されているキッチン水栓や洗面化粧台の水栓、即ちシンクや洗面器等の水槽の前端よりも奥側に設置されているシングルレバー水栓に比べて、人の不意の動作によって、例えば使用者の体がハンドルのレバー部に当る等して意図せずハンドルが開操作されて吐水が行われてしまうといったことが生じ易く、或いは水栓柱周りで作業している際に器材その他がレバー部に当って意図せず吐水が行われてしまうといったことが生じ易い。
更には、小さな子供の悪戯によってハンドルが開操作されてしまうことも有り勝ちである。
【０００５】
この場合、かかる水栓柱は屋外に設置されているため、屋内にいる人が水栓柱から吐水が行われていることに気付かず、そのまま水が出っ放しになってしまう恐れがある。
もっともこうした問題は水栓柱に限らず、屋外に設置されている他の水栓や屋内に設置されている水栓においても生じる可能性がある。
【０００６】
従来において、吐止水を操作するためのハンドルを止水状態にロックするものについては下記特許文献２及び特許文献３に開示されている。
しかしながらこれら特許文献２，特許文献３に開示のものはシングルレバー水栓ではない点で本発明とは異なっている。
【０００７】
一方、下記特許文献４にはシングルレバー水栓にロック機構を備えたものが開示されている。
しかしながらこの特許文献４に開示のものはハンドルを止水状態にロックするものではなく、この点で本発明とは異なったものである。
【０００８】
【特許文献１】特開２００５−１２０７１７号公報
【特許文献２】特開平１１−２４８０２９号公報
【特許文献３】特開２００２−１６７８１８号公報
【特許文献４】実開平５−１７２８６号公報
【発明の開示】
【発明が解決しようとする課題】
【０００９】
本発明は以上のような事情を背景とし、人の体その他がハンドルのレバー部に当る等して意図せず不意の吐水が行われたり、または子供の悪戯でハンドルが開操作されて吐水が行われたりするのを有効に防止することのできるシングルレバー水栓を提供することを目的としてなされたものである。
【課題を解決するための手段】
【００１０】
而して請求項１のものは、(イ)固定弁体に対する可動弁体の摺動運動により吐止水と吐水の温度調節とを行う混合弁と、(ロ)連結アームを介して該可動弁体に連結されたハンドル基部及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において、前記ハンドルを止水状態にロックするロック機構及び該ロック機構をロック状態と解除状態とに切替操作するロック操作部を備えたロック装置が設けてあり、前記ロック操作部は回転摘みと成してあって、回転軸心と直角方向に突出した突起を有しており、該突起が、前記ロック機構が前記ロック状態にあるか前記解除状態にあるかを示すための指示部を成していることを特徴とする。
【００１１】
請求項２のものは、請求項１において、前記ロック操作部が前記ハンドル基部の周壁に設けてあるとともに、該ハンドル基部の上面には、前記指示部と協働して前記ロック機構が前記ロック状態にあるか前記解除状態にあるかを表示する表示部が設けてあることを特徴とする。
【００１２】
請求項３のものは、(イ)固定弁体に対する可動弁体の摺動運動により吐止水と吐水の温度調節とを行う混合弁と、(ロ)連結アームを介して該可動弁体に連結されたハンドル基部及び該ハンドル基部から突き出したレバー部を備えたハンドルと、を有し、該レバー部を回動操作することで該ハンドル基部及び前記連結アームを介して前記可動弁体を摺動運動させるようになしたシングルレバー水栓において、前記ハンドルを止水状態にロックするロック機構及び該ロック機構をロック状態と解除状態とに切替操作するロック操作部を備えたロック装置が設けてあり、前記ロック機構は、前記ハンドル基部の周壁に形成された嵌合孔に回転可能に嵌合した回転軸部と、該回転軸部から軸直角方向に突出したストッパ部とを有しており、該ストッパ部を水栓本体の当接部に当接させることによって前記ハンドル基部を止水状態にロックする一方、前記ロック操作部の操作により該ストッパ部を前記回転軸部と一体に前記当接部への当接位置から非当接位置である退避位置まで回転させてロック解除するものとなしてあることを特徴とする。
【００１３】
請求項４のものは、請求項３において、前記ストッパ部の先端のストッパ面が平坦な切落し形状のストッパ面となしてあることを特徴とする。
【００１４】
請求項５のものは、請求項３において、前記回転軸部には、前記ハンドル基部と前記連結アームとの接続部に向って配向した軸方向の貫通孔が中心部に設けてあり、該貫通孔が、それらハンドル基部と連結アームとの接続及び接続解除作業をなす際の工具の挿通空間となしてあることを特徴とする。
【発明の作用・効果】
【００１５】
以上のように請求項１のものは、シングルレバー水栓において、ハンドルを止水状態にロックするロック機構及びそのロック機構をロック状態と解除状態とに切替操作するロック操作部を備えたロック装置を設けたもので、この請求項１によれば、ロック機構によるロックによって、人の不意な動作によって体がハンドルのレバー部に当ることにより意図せず吐水が行われてしまったり、或いは子供の悪戯によってハンドルが開操作され吐水が行われてしまうといったことを有効に防止することができる。
【００１６】
請求項１では、上記ロック操作部を回転摘みと成して、回転軸心と直角方向に突出した突起をその回転摘みに具備させ、その突起をもって、ロック機構がロック状態にあるか解除状態にあるかを示すための指示部と成しており、このようにすれば、ロック機構の現在の作用状態をその指示部にて示すことができることから、使用者は現在ロックがかかっているのか解除されているのかを一見して認識でき、ストレス無く快適に水栓を使用することができる。
【００１７】
この場合において、ロック操作部をハンドル基部の周壁に設け、そしてロック操作部の組付面である周面とは異なったハンドル基部の上面に、上記突起から成る指示部と協働してロック状態，解除状態を表示する表示部を設けておくことができる（請求項２）。
この場合、表示部が使用者から見て最も見易いハンドル基部の上面に設けてあるため、水栓にロックがかかっているか否かが使用者にとって一層分り易いものとなる利点が得られる。
【００１８】
このような表示を設ける場合、通常はロック操作部の取付面であるハンドル基部の周面に設けるのが普通であるが、そのようにした場合、ロック操作部を目に入り難いハンドル基部の後側に配置しておくと、ロック操作部が悪戯により解除操作されてしまうのを防ぐことができる一方で、水栓の使用者にとってロック操作部が現在どのような操作状態になっているかが分り難いものとなる。
【００１９】
しかるにこの請求項２に従って表示部をハンドル基部の上面に設けておいた場合、ロック操作部をハンドル基部の後側に配置した場合であっても、ロック操作部がどのような操作状態となっているかが容易に分り、使用者はハンドルロックがかかっているか否かを直ちに認識できる利点が得られる。
【００２０】
この場合において、指示部を成すロック操作部の上記の突起は、ハンドル基部の上面よりも上向きに突出する長さとしておくことができる。
このようにすることで、突起からなる指示部の位置も分り易いものとなって、ロック操作部の操作状態即ちロック機構の作用状態を使用者に直ちに認識させることができる。
【００２１】
請求項３では、上記ロック機構を、ハンドル基部の周壁の嵌合孔に回転可能に嵌合した回転軸部と、回転軸部から軸直角方向に突出したストッパ部とを有し、そのストッパ部を水栓本体の当接部に当接させることによってハンドル基部を止水状態にロックする一方、ストッパ部を回転軸部と一体に上記当接部への当接位置から非当接位置である退避位置まで回転させてロック解除するものとなしておく。
このようにすれば、ロック機構を簡単な構造で構成することができる。
【００２２】
この場合において、ストッパ部の先端のストッパ面を平坦な切落し形状のストッパ面となしておくことができる（請求項４）。
【００２３】
このようにすれば、水栓本体の当接部に対してストッパ面を当接させ、ハンドル基部を止水状態にロックしている状態で、ハンドル基部を吐水の温度調節の方向である左右方向に回動操作したときに、ストッパ面と当接部との接触に基いてストッパ部が退避位置の方向に回転してしまい、意図せずロックが解除されてしまうといったことが生じるのを有効に回避することができる。
【００２４】
次に請求項５は、回転軸部の中心部に、ハンドル基部と連結アームとの接続部に向って配向した軸方向の貫通孔を中心部に設け、その貫通孔を、ハンドル基部と連結アームとの接続及び接続解除をなす際の工具の挿通空間となしたもので、このようにすれば、ロック機構を利用してハンドル基部と連結アームとの脱着のための工具の挿通空間を形成でき、このような挿通空間を別途に設ける場合に比べてハンドル部分の形状，構造を簡素化することができる。
【発明を実施するための最良の形態】
【００２５】
次に本発明の実施形態を図面に基づいて詳しく説明する。
図１及び図２において、１０は屋外に設置された水栓柱で、１２は排水口１４を有する洗い場であり、この洗い場１２の奥部から断面円形を成す柱体１６が起立している。
この柱体１６の側面（洗い場１２側の使用者から見て右側面）には、水吐水を行う単水栓１８が設けられている。
単水栓１８は、柱体１６の右側面から右側方に突き出す水栓本体２０、及び水栓本体２０の図中右側の回転式のハンドル２２を有しており、そしてその水栓本体２０の正面に、吐水口２４を有する吐水管２６が前方に突き出す形態で設けられている。ここで吐水管２６は先端部が前方斜め下向きをなしている。
尚、この単水栓１８は柱体１６の略中間の高さ位置に設けられている。
【００２６】
一方、柱体１６の上部且つ単水栓１８と同じ側の右側面には、ハンガー３０が設けられている。ここでハンガー３０は、ペットの鎖やブラシその他小物を掛けて保持する部分である。
柱体１６のハンガー３０と略同じ高さ位置、且つハンガー３０とは反対側の側面、即ち洗い場１２側の使用者から見て左側面には、シャワーフック３２が左側方に突き出す形態で設けられている。
そしてそのシャワーフック３２に、シャワー吐水口３４を有するシャワーヘッド３６が掛止され保持されるようになっている。
柱体１６にはまた、その上端部にシングルレバー水栓３５が設けられている。
【００２７】
図２に柱体１６，シングルレバー水栓３５の内部構造が具体的に示してある。
図２に示しているように、柱体１６は内部が中空とされており、中空内部に水配管としてのサプライ管３８，４０及び湯配管としてのサプライ管４２が収納されている。
ここでサプライ管３８，４０，４２はそれぞれフレキ管（フレキシブル管）にて構成されている。詳しくはゴム等の弾性チューブの外周面を可撓性の金属材にて被覆した形態のフレキシブル管にて構成されている。
【００２８】
柱体１６の下部の土中に埋設される部分には、接続部材４８が設けられていて、その接続部材４８の接続口４４，４６に、図示を省略する外部の水配管及び湯配管がそれぞれ接続されるようになっている。
そしてこの接続部材４８の接続口４４に連通するようにして、上記のサプライ管３８の下端部が接続され、また湯の接続口４６に連通するようにして、湯側のサプライ管４２の下端部がかかる接続部材４８に接続されている。
【００２９】
水側のサプライ管３８と４０との間には、流路を分岐させる分岐部材５０が接続されており、水側の流路がこの分岐部材５０にて流路５２と５４とに分岐されている。
サプライ管３８を通じて給水された水は、この流路５４を通じて単水栓１８における水栓本体２０内部に流入し、続いて吐水管２６側に流れ込んで、先端の吐水口２４から吐水される。
尚５６は、流路５２を流通する水の流量を調整するための流量調整栓である。
【００３０】
柱体１６の上端部には、サプライ管３８，４０及び４２を通じて上向きに送られてきた水と湯とを所定比率で混合し、適温の混合水（温調水）とするための、上記シングルレバー水栓３５における混合弁５８が設けられている。
【００３１】
混合弁５８は、セラミックディスクから成る固定弁体６４と、固定弁体６４に対して摺動運動する可動弁体６６とを有している。
固定弁体６４には水，湯の流入口６８が設けられており、そこに上記のサプライ管４０と４２との上端部がそれぞれ接続されている。
【００３２】
固定弁体６４にはまた流出口７２が設けられていて、その流出口７２に、流出管７４の上端部が接続されている。
混合弁５８は水、湯の流入口６８から流入した水と湯とを、可動弁体６６の混合室７０に流入させてそこで混合し、そして混合水を流出口７２から流出管７４へと流出させる。
【００３３】
流出管７４に流出した混合水は、図２（Ａ）に示すシャワーフック３２内部に形成された流路７５に流入した後、続いてシャワーホース７８を通じ上記のシャワーヘッド３６へと導かれる。
混合弁５８では、可動弁体６６の位置を移動させることによって、水と湯との混合比率を調整し、或いはまた水，湯の一方の流入口又は両方の流入口を閉鎖する。
而して両方の流入口が閉鎖された状態において、シャワーヘッド３６からの吐水が停止される。即ち止水される。
尚、柱体１６の内部にはその空隙部分に保温材８０が充填されている。
【００３４】
図１及び図２において、８２はシングルレバー水栓３５におけるハンドルで、このハンドル８２は、平面形状が円形で逆カップ状をなすハンドル基部８４と、ハンドル基部８４から洗い場１２側に向って前方に突き出したレバー部８６とを有している。
そしてそのハンドル基部８４が、図３に示しているように連結アーム８８を介して上記の混合弁５８における可動弁体６６に作動的に連結されている。
【００３５】
このシングルレバー水栓３５では、レバー部８６を上向きに回動操作することで、シャワーヘッド３６からの吐水が開始され、またその回動量を多くすることで吐水流量が増大せしめられる。
また逆にレバー部８６を下向きに回動操作することで、吐水の流量が減少し、最終的に止水に到る。
一方レバー部８６を左右に回動操作することで、湯と水の混合比率が変化せしめられ、混合水即ち吐水の温度が調節される。
【００３６】
図９（及び図３）に示しているように、ハンドル８２におけるハンドル基部８４には、図中下向きに突出したボス部９０が一体に設けられている。
このボス部９０には嵌込孔９２が設けられており、そこに断面四角形状をなす連結アーム８８の上部が上向きに嵌め込まれている。
【００３７】
嵌込孔９２は、図６に詳しく示しているように連結アーム８８の上部の断面形状に対応した形状をなしており、この嵌込孔９２への連結アーム８８の上部の嵌込みにより、かかる連結アーム８８がハンドル８２と一体に図中上下及び左右に回転するようになっている。
【００３８】
このボス部９０には固定ねじ９４が後側から（図中右側から）ねじ込まれ、この固定ねじ９４によって、連結アーム８８とハンドル基部８４とが脱着可能に接続されている。
【００３９】
ハンドル基部８４には、レバー部８６とは反対側の真後ろの位置において、ハンドル８２を図９に示す止水状態にロックするためのロック装置９６が設けられている。
このロック装置９６は、ハンドル基部８４の内側の空間（スペース）に内蔵される状態にハンドル基部８４に組み付けられたロック機構９８と、ハンドル基部８４の外部に露出した状態に設けられたロック操作部１００とを有している。
【００４０】
ロック機構９８は回転可能なロック部材９９を有しており、そのロック部材９９に、断面円形の回転軸部１０２が備えられている。
そしてその回転軸部１０２が、ハンドル基部８４に形成された円形の嵌合孔１０４に回転可能に嵌合されている。
この回転軸部１０２の内側端部（図中左端部）には、回転軸心から直角方向に突出したストッパ部１０６が一体に設けられている。
【００４１】
このロック装置９６は、ストッパ部１０６の先端のストッパ面１０８を水栓本体１１０の当接部、ここでは弁カートリッジを水栓本体１１０のハウジングに固定する固定ナット１１２の平坦な上面に当接させることによって、ハンドル８２を止水状態にロックし、またストッパ部１０６を図９に示す水栓本体１１０への当接位置から、図３及び図５（Ａ）に示しているように９０°回転した退避位置まで回転させることによってロック解除し、ハンドル８２を図中右方向（時計方向）即ち吐水方向に回動可能とする。
【００４２】
この実施形態において、図９に示しているようにストッパ部１０６が水栓本体１１０の当接部に当接した状態がロック機構９８におけるロック状態であり、またストッパ部１０６がこの図９に示す位置から図３及び図５（Ａ）に示しているように９０°回転して退避位置に到った状態がロックの解除状態である。
【００４３】
ここでストッパ部１０６の先端のストッパ面１０８は、平坦な切落し形状の面となしてある。
詳しくは、図９に示すロック状態において、ストッパ面１０８が水栓本体１１０の当接部即ち固定ナット１１２の平坦な上面と平行をなすような平坦な面となしてある。
【００４４】
尚ロック機構９８におけるストッパ部１０６は、連結アーム８８から図中右方（後側）に隔たった位置で、固定ナット１１２の上面に当接するように配置されている。このストッパ部１０６の位置は、ハンドル８２を左右方向に回動操作する際の回動軸心から偏心した位置である。
【００４５】
図６に示しているように、ハンドル基部８４の上壁部の内面にはクリック機構１２６（図９及び図３参照）の一要素をなす板ばね１２０が組み付けられている。
これに対応して回転軸部１０２の側には、図５に示しているように板ばね１２０を弾性的に嵌入させるクリック溝１２２-１，１２２-２が周方向に隣接して設けられている。
尚これらクリック溝１２２-１と１２２-２との間の部分は壁１２４とされている。
【００４６】
図３，図５及び図９に示すように回転軸部１０２には、その中心部に軸方向の貫通孔１１４が設けられている。
ここで貫通孔１１４は、ハンドル基部８４と連結アーム８８との接続部、具体的にはそれらを接続固定する固定ねじ９４に向けて配向されており、固定ねじ９４によるハンドル基部８４と連結アーム８８との脱着作業の際に、この貫通孔１１４に工具が挿通可能となしてある。即ち貫通孔１１４は、ハンドル基部８４と連結アーム８８との脱着作業のための工具の挿通孔を成している。
【００４７】
尚、ロック操作部１００にもまたこの貫通孔１１４に連続する形態で軸方向の貫通孔１１６が設けられている。このロック操作部１００の貫通孔１１６もまた、工具の挿通孔を成しているものである。
これら貫通孔１１４，１１６は化粧キャップ１１８にて閉鎖されるようになっている。
【００４８】
このクリック機構１２６は次のように作用する。
図９は、ストッパ部１０６のストッパ面１０８が水栓本体１１０側の当接部である固定ナット１１２の上面に対して当接する位置にあって、ハンドル８２を止水状態にロックした状態にある。
この状態でストッパ部１０６が退避位置まで９０°回転すると、そのときに図４に示すように板ばね１２０がクリック溝１２２-１から壁１２４を乗り越えてクリック溝１２２-２へと弾性的に勢い良く嵌り込み、そこでクリック感を発生させる。
【００４９】
そのクリック感はロック部材９９及びロック操作部１００を介して使用者に伝わり、従って使用者はそのことによってロック機構９８のストッパ部１０６が、退避位置まで９０°回転したことを触感により或いはその際のクリック音により知ることができる。
またそのクリック機構１２６により、詳しくは板ばね１２０がクリック溝１２２-２に嵌り込むことによって、そこでストッパ部１０６の更なる回転が抑制され、ストッパ部１０６がその退避位置に保持される。
尚板ばね１２０及びクリック溝１２２-１，１２２-２は周方向（回転方向）に円弧状をなしている。
【００５０】
一方、ストッパ部１０６を上記の退避位置から再び図９に示す固定ナット１１２の上面に対して当接する位置へ回転させたときには、板ばね１２０が図１０に示しているようにクリック溝１２２-１へと弾性的に勢い良く嵌り込み、そこでクリック感を発生させる。
そしてそのクリック感により、使用者はロック機構９８がロック状態となったことを知ることができる。
尚このときにもクリック溝１２２-１への板ばね１２０の嵌り込みによって、ストッパ部１０６が図９に示す固定ナット１１２への当接位置に位置保持される。
【００５１】
またこのときには、図１０に示しているようにロック部材９９の側に設けた回転規制突起１２８が、ハンドル基部８４の上壁部の下面に設けた突条１３０-１に当接し、そのことによってストッパ部１０６の更なる回転が規制される。
尚、図１０に示す他方の突条１３０-２は、ストッパ部１０６が図９に示す当接位置から退避位置まで９０°回転したときに、ストッパ部１０６を回転方向に当接させて更なるストッパ部１０６の回転を規制する。
【００５２】
図５（Ｃ）に詳しく示しているように、上記ロック機構９８におけるロック部材９９には傾斜形状の逃げ面１４０が形成されている。
この逃げ面１４０は、ストッパ部１０６を退避位置に位置させた状態でハンドル８２を図８に示すように吐水方向に回動操作したとき、ロック部材９９が固定ナット１１２に対して当り、干渉するのを回避すべく形成されている。
【００５３】
図７に詳しく示しているように、この実施形態では固定ナット１１２の中心部の開口部１３２周りに、固定ナット１１２の平坦な上面から上向きに起立する円環状の起立部１３４が設けられている。
更にその開口部１３２が、弾性材からなるカバー１３６にて被覆されている。
【００５４】
これらの起立部１３４及びカバー１３６は、上記のロック機構９８におけるストッパ部１０６と固定ナット１１２の上面との摺接により摩耗粉が発生する恐れがあることから、その摩耗粉が開口部１３２を通じて水栓本体１１０内部に侵入するのを防止する働きをなすものである。
ここでカバー１３６には、連結アーム８８の四角形状に対応した四角形状の嵌込孔１３８が設けられており、この嵌込孔１３８においてカバー１３６が連結アーム８８に嵌め込まれている。
【００５５】
ハンドル基部８４の外部に露出した上記のロック操作部１００は、図５に詳しく示しているように回転摘みとなしてある。
このロック操作部１００は円形の基部１４２と、これから上向きに突出した突起１４４とを有している。
【００５６】
その基部１４２には四角形状の嵌込孔１４６が設けられていて、そこにロック部材９９における回転軸部１０２の図中右端部に設けられた、対応する断面四角形状の嵌込部１４８が軸方向に嵌め込まれ、これによりロック部材９９とロック操作部１００とが一体に回転するようになしてある。即ちロック操作部１００を回転操作することによって、ロック部材９９が一体に回転するようになしてある。
【００５７】
ここでロック部材９９とロック操作部１００の基部１４２とには、図３の部分拡大図に示しているように断面半円形状の切欠き１５０-１，１５０-２が設けられており、それらにまたがって打込ピン１５２が打ち込まれることによって、ロック部材９９とロック操作部１００とが軸方向に抜止状態に組み付けられている。
尚、図５（Ｃ）において１５４は打込孔を表しており、打込ピン１５２はこの打込孔１５４を通じて打ち込まれる。
【００５８】
ロック操作部１００における円形の基部１４２から突出した突起１４４は、ロック操作部１００を操作する際の指掛け部として働く他、ロック機構９８がロック状態にあるか又は解除状態にあるか、即ちハンドル８２が止水位置へのロック状態にあるか解除状態にあるかを指し示す指示部としての働きも有している。
【００５９】
これに対応してハンドル基部８４の上面には、図１に示しているようにロック機構９８がロック状態にあるか解除状態にあるかを表すための表示部１５６が設けてある。
上記指示部として働く突起１４４は、図１の部分拡大図にも示しているようにハンドル基部８４の上面よりも上方に突出するように、その突出長さが定められている。
そしてこのことによって、ロック操作部１００がハンドル基部８４の後側に隠れた位置にあるにも拘らず、ハンドル８２を前方から見たときに突起１４４の位置が分り易く、突起１４４の示している位置が、表示部１５６におけるロック表示の位置にあるか、解除表示の位置にあるか一見して直ちに分るようになっている。
【００６０】
次に本実施形態のシングルレバー水栓の作用を説明する。
図３は、ロック機構９８がロック解除にある状態を表しており、従ってこの状態ではレバー部８６を手に持って上向きにハンドル８２を操作すること、即ち吐水操作を行うことが可能である。
尚このとき、ロック操作部１００の突起１４４は、図１の部分拡大図に示しているように表示部１５６の解除表示の位置に位置している。
【００６１】
この状態から、ロック操作部１００を回転操作してロック部材９９におけるストッパ部１０６を図９に示す位置まで持ち来すと、ここにおいてストッパ部１０６が水栓本体１１０側の固定ナット１１２の上面に対して対向した状態、即ち当接する位置に位置した状態となる。
尚このときには指示部として働く突起１４４が、図１の表示部１５６のロック表示に位置した状態となる。即ち突起１４４がロック表示を指し示した状態となる。
【００６２】
尚、図９に示す状態ではストッパ部１０６のストッパ面１０８と、固定ナット１１２の上面との間には微小な隙間が生じている。
この隙間は次のような意味を有している。
即ち、本実施形態ではストッパ面１０８を切落し形状の平坦な面と成してあることから、ストッパ部１０６をロック解除位置（退避位置）まで回転させる際に、図１０に示す角部１５８が固定ナット１１２の上面に当ることなく回転できるように、上記の隙間が確保してある。
【００６３】
さてこの状態でレバー部８６を手に持ってハンドル８２を上向きに回動操作しようとしたとき、図１１に示しているようにレバー部８６が僅かに上向きに回動した時点で、即ちハンドル８２が吐水方向に僅かに回動したところで上記の隙間が消失し、ストッパ部１０６のストッパ面１０８が水栓本体１１０側の固定ナット１１２の上面に当接した状態となり、ここにおいてハンドル８２の吐水方向への更なる回動が阻止される。
尚図１１に示す状態において、レバー部８６によりハンドル８２全体を吐水の温度調節方向に左右に回動操作することは可能である。
【００６４】
このとき、ストッパ部１０６における先端のストッパ面１０８が、図１２の比較例として示した（Ｂ）に示しているように円弧形状の面となしてあると、ハンドル８２の左右の回動に伴ってロック部材９９が固定ナット１１２の上面との摩擦により回転してしまい、場合によってロックが意図せず解除されてしまう恐れが生ずる。
【００６５】
しかるに本実施形態ではストッパ部１０６の先端のストッパ面１０８が切落し形状の平坦面となしてあって、ストッパ面１０８が広い接触面積に亘って固定ナット１１２の上面に接触した状態となり、またストッパ面１０８の図１２中左右方向の端の角部１５８によって、ロック部材９９の回転が阻止されるため、ハンドル８２を左右方向（図１１中紙面と直角方向）に回動操作してもストッパ部１０６が回転してしまうことはなく、誤ってストッパ部１０６がロック解除位置まで回転してしまうといったことを防止することができる。
【００６６】
以上のように本実施形態によれば、ロック機構９８によるロックによって、人の不意な動作により体がハンドル８２のレバー部８６に当ることにより意図せず吐水が行われてしまったり、或いは子供の悪戯によってハンドル８２が開操作され吐水が行われてしまうといったことを有効に防止することができる。
【００６７】
またそのロック機構９８はハンドル基部８４に内蔵してあるため、ハンドル基部８４の内側に生じるデッドスペースをロック機構９８を設けるためのスペースとして有効に活用でき、そしてこのことによってロック機構９８を設けることによりシングルレバー水栓３５が大型化するのを防止し、シングルレバー水栓３５をコンパクトに構成できる効果が得られる。
【００６８】
また本実施形態ではロック操作部１００を回転摘みと成して、そこに回転軸心と直角方向に突出した突起１４４を具備させ、その突起１４４をもって、ロック機構９８がロック状態にあるか解除状態にあるかを示すための指示部と成していることから、ロック機構９８の現在の作用状態をその指示部にて示すことができ、現在ロックがかかっているのか解除されているのかを使用者が一見して直ちに認識でき、ストレス無く快適に水栓を使用することができる。
【００６９】
更にロック操作部１００をレバー部８６とは反対側の真後ろの位置でハンドル基部８４の周壁に設ける一方で、ロック操作部１００の組付面である周面とは異なったハンドル基部８４の上面に表示部１５６を設けてあるため、表示部１５６が使用者から見て見易く、水栓にロックがかかっているか否かを使用者が直ちに知ることができる。
【００７０】
このような表示を設ける場合、通常はロック操作部１００の取付面であるハンドル基部８４の周面に設けるのが普通であるが、そのようにした場合、ロック操作部１００を目に入り難いハンドル基部８４の後側に配置しておくと、ロック操作部１００が悪戯により解除操作されてしまうのを防ぐことができる一方で、水栓の使用者にとってロック操作部１００が現在どのような操作状態になっているかが分り難いものとなる。
【００７１】
しかるにこの実施形態では、表示部１５６をロック操作部１００の取付面とは異なったハンドル基部８４の上面に設けてあるため、ロック操作部１００をハンドル基部８４の後側に配置した場合であっても、ロック操作部１００がどのような操作状態となっているかを使用者は容易に認識することができる。
【００７２】
また指示部を成す上記の突起１４４は、ハンドル基部８４の上面よりも上向きに突出する長さとしてあることから、突起１４４の示す位置も分り易い。
【００７３】
更に本実施形態ではストッパ部１０６の先端のストッパ面１０８を平坦な切落し形状のストッパ面となしてあることから、固定ナット１１２の上面に対してストッパ面１０８を当接させ、ハンドル基部８４を止水状態にロックしている状態で、ハンドル基部８４を吐水の温度調節の方向である左右方向に回動操作したときに、ストッパ面１０８と固定ナット１１２の上面との接触に基づいてストッパ部１０６が退避位置の方向に回転してしまい、意図せずロックが解除されてしまうといったことが生じるのを有効に回避することができる。
【００７４】
また本実施形態では、回転軸部１０２の中心部に、ハンドル基部８４と連結アーム８８との接続部に向って配向した軸方向の貫通孔１１４を中心部に設け、その貫通孔１１４を、ハンドル基部８４と連結アーム８８との接続及び接続解除をなす際の工具の挿通空間となしてあるため、このような挿通空間を別途に設ける場合に比べてハンドル８２部分の形状，構造を簡素化することができる。
【００７５】
以上本発明の実施形態を詳述したがこれはあくまで一例示であり、本発明は上記の水栓柱に適用して効果の大なるものであるが、その他のシングルレバー水栓への適用も可能である等、本発明はその趣旨を逸脱しない範囲において種々変更を加えた形態で構成可能である。
【図面の簡単な説明】
【００７６】
【図１】本発明の一実施形態であるシングルレバー水栓を備えた水栓柱の全体斜視図である。
【図２】同水栓柱の内部構造を示した要部断面図である。
【図３】同水栓柱に備えられたシングルレバー水栓のハンドル部分の構造を示した要部断面図である。
【図４】図３の要部を異なる方向から示した要部断面図である。
【図５】同実施形態におけるロック装置を構成する部品を組付け状態及び分解状態で示した図である。
【図６】同実施形態におけるハンドル基部の上壁部の内面を、板ばねと共に示した図である。
【図７】同実施形態における固定ナットの上面の構造を示した図である。
【図８】同実施形態の一作用状態を示した要部断面図である。
【図９】同実施形態の図８とは異なる一作用状態を示した要部断面図である。
【図１０】図９の要部を異なる方向から示した要部断面図である。
【図１１】同実施形態におけるロック機構の作用説明図である。
【図１２】同実施形態のロック機構の利点を説明するために示した模式図である。
【符号の説明】
【００７７】
１０  水栓柱
３５  シングルレバー水栓
５８  混合弁
６４  固定弁体
６６  可動弁体
８２  ハンドル
８４  ハンドル基部
８６  レバー部
８８  連結アーム
９６  ロック装置
９８  ロック機構
９９  ロック部材
１００  ロック操作部
１０２  回転軸部
１０４  嵌合孔
１０６  ストッパ部
１０８  ストッパ面
１１０  水栓本体
１１２  固定ナット
１１４  貫通孔
１４４  突起
１５６  表示部
【図１】
0005088736.tif 000002
【図２】
0005088736.tif 000003
【図３】
0005088736.tif 000004
【図４】
0005088736.tif 000005
【図５】
0005088736.tif 000006
【図６】
0005088736.tif 000007
【図７】
0005088736.tif 000008
【図８】
0005088736.tif 000009
【図９】
0005088736.tif 000010
【図１０】
0005088736.tif 000011
【図１１】
0005088736.tif 000012
【図１２】
0005088736.tif 000013